(57)【要約】【課題】危険に配慮された電子機器を提供すること。【解決手段】電子機器は、音声入力部と、当該音声入力部に入力された音声コマンドに応じた処理を行う音声入力モードを実行可能なコントローラとを備える。当該コントローラは、自機が移動しているかを判定し、自機が移動していると判定した場合に前記音声入力モードを実行する。【選択図】図１
2018037819.tif 000002
【特許請求の範囲】
【請求項１】
音声入力部と、
前記音声入力部に入力された音声コマンドに応じた処理を行う音声入力モードを実行可能なコントローラと、を備え、
前記コントローラは、
自機が移動しているかを判定し、
自機が移動していると判定した場合に、前記音声入力モードを実行する、
ことを特徴とする電子機器。
【請求項２】
前記コントローラは、
自機が移動していて、かつ利用者の手に持たれているかを判定し、
自機が移動していて、かつ利用者の手に持たれていると判定した場合に、前記音声入力モードを実行する、
ことを特徴とする請求項１に記載の電子機器。
【請求項３】
前記コントローラは、
自機が移動していて、かつアプリケーションが起動されたかを判定し、
自機が移動していて、かつ所定のアプリケーションが起動されたと判定した場合に、前記音声入力モードを実行する、
ことを特徴とする請求項１に記載の電子機器。
【請求項４】
前記コントローラは、
自機が移動していて、かつアプリケーションの所定機能が実行されているかを判定し、
自機が移動中していて、かつ所定のアプリケーションの所定機能が実行されていると判定した場合に、前記音声入力モードを実行する、
ことを特徴とする請求項１に記載の電子機器。
【請求項５】
タッチパネルを更に備え、
前記コントローラは、
自機が移動していて、かつ前記タッチパネルに対して操作がなされたかを判定し、
自機が移動していて、かつ前記タッチパネルに対する所定の操作がなされたと判定した場合に、前記音声入力モードを実行する、
ことを特徴とする請求項１に記載の電子機器。
【請求項６】
タッチパネルを更に備え、
前記コントローラは、前記音声入力モードの実行を開始するとともに前記タッチパネルの操作による機能の実行を少なくとも一部制限する、
ことを特徴する請求項１から５の何れかに記載の電子機器。
【請求項７】
前記コントローラは、前記音声入力モードの実行中において自機が静止していると判定した場合に、前記機能の実行の制限を解除する、
ことを特徴とする請求項６に記載の電子機器。
【請求項８】
前記コントローラは、前記音声入力モードの実行中において自機が静止し、当該静止の状態が所定時間継続したと判定した場合に、当該音声入力モードの実行を停止する、
ことを特徴とする請求項１から７に記載の電子機器。
【請求項９】
前記コントローラは、前記処理として、前記入力された音声に対する出力を音声によって行う、
ことを特徴とする請求項１から８の何れか一項に記載の電子機器
【請求項１０】
前記コントローラは、前記音声入力モードの実行を開始すると、当該音声入力モードが実行された旨を音声によって利用者に報知する、
ことを特徴とする請求項１から９の何れか一項に記載の電子機器。
【請求項１１】
音声入力部と、
前記音声入力部に入力された音声コマンドに応じた処理を行う音声入力モードを実行可能なコントローラと、を備える電子機器の制御方法であって、
自機が移動しているかを判定するステップと、
自機が移動していると判定した場合に前記音声入力モードを実行するステップと、
を含む制御方法。
【請求項１２】
音声入力部と、
前記音声入力部に入力された音声コマンドに応じた処理を行う音声入力モードを実行可能なコントローラと、を備える電子機器に、
自機が移動しているかを判定するステップと、
自機が移動していると判定した場合に前記音声入力モードを実行するステップと、
を実行させる制御プログラム。
【発明の詳細な説明】
【技術分野】
【０００１】
本出願は、自機の移動を検出可能な電子機器に関する。
【背景技術】
【０００２】
従来、情報を表示する表示部と、移動状態を判定する制御部とを有し、制御部は、移動状態に基づいて、表示部を点灯した際に表示する情報を決定する携帯電子機器がある。また、当該携帯電子機器は、表示部と重ねて表示され、携帯電子機器を操作するための指の接触を検出するタッチスクリーンを備える。
【先行技術文献】
【特許文献】
【０００３】
【特許文献１】特開２０１５−１４２３２１
【発明の概要】
【発明が解決しようとする課題】
【０００４】
利用者が移動中において電子機器のタッチスクリーンに対する操作がなされることは、利用者にとって危険である。
【０００５】
本出願の目的は、利用者の危険に配慮された電子機器を提供することである。
【課題を解決するための手段】
【０００６】
１つの態様に係る電子機器は、音声入力部と、前記音声入力部から入力された音声コマンドに応じた処理を行う音声入力モードを実行可能なコントローラと、を備え、前記コントローラは、自機が移動しているかを判定し、自機が移動していると判定した場合に音声入力モードを実行する。
【０００７】
また、１つの態様に係る制御方法は、音声入力部と、前記音声入力部から入力された音声コマンドに応じた処理を行う音声入力モードを実行可能なコントローラと、を備える電子機器の制御方法であって、自機が移動しているかを判定するステップと、自機が移動していると判定した場合に音声入力モードを実行するステップと、を含む。
【０００８】
また、１つの態様に係る制御プログラムは、音声入力部と、前記音声入力部から入力された音声コマンドに応じた処理を行う音声入力モードを実行可能なコントローラと、を備える電子機器に、自機が移動しているかを判定するステップと、自機が移動していると判定した場合に音声入力モードを実行するステップと、を実行させる。
【発明の効果】
【０００９】
利用者の危険に配慮された電子機器を提供することができる。
【図面の簡単な説明】
【００１０】
【図１】第１の実施形態に係る携帯電話端末の外観図である。
【図２】第１の実施形態に係る携帯電話端末のブロック図である。
【図３】第１の実施形態に係る携帯電話端末が行う制御の第１の例を示すフローチャートである。
【図４】第１の実施形態に係る携帯電話端末が行う制御の第２の例を示すフローチャートである。
【図５】第２の実施形態に係る携帯電話端末のブロック図である。
【発明を実施するための形態】
【００１１】
以下、本出願に係る実施形態について図面を参照しつつ詳細に説明する。ただし、以下の実施の形態によって本出願が限定されるものではない。また、以下の説明における構成要素には、当業者が容易に想定できるもの、実質的に同一のもの、いわゆる均等の範囲のものが含まれる。なお、図面の説明については同一要素には同一符号を付し、重複する説明を省略する。また、以下においては、電子機器の一例として携帯電話端末について説明するが、これに限定されるものではなく、電子機器は、各種装置、例えば、車載電子機器、タブレット、パーソナルコンピュータ等であってもよい。
【００１２】
本出願に係る電子機器の第１の実施形態について説明する。図１は、第１の実施形態に係る携帯電話端末１の外観図である。図１に示すように携帯電話端末１は、マイク１１１と、スピーカ１２１と、タッチパネル１３と、ディスプレイ１４とを備える。
【００１３】
マイク１１１は、携帯電話端末１への入力を受け付ける入力手段のうちの１つである。マイク１１１は、周囲の音声を集音する。
【００１４】
スピーカ１２１は、携帯電話端末１から出力を行う出力手段の１つである。スピーカ１２は、電話の音声や各種プログラムの情報等を音声で出力する。
【００１５】
タッチパネル１３は、携帯電話端末１への入力を受け付ける入力手段のうちの１つである。タッチパネ１３は、利用者の指、スタイラス等の接触を検出する。接触を検出する方法としては、例えば抵抗膜方式や静電容量方式等があるが、任意の方式でよい。
【００１６】
ディスプレイ１４は、携帯電話端末１から出力を行う出力手段の１つである。ディスプレイ１４は、文字、画像、記号、図形等のオブジェクトを画面上に表示する。ディスプレイ１４には、例えば液晶ディスプレイ、有機ＥＬ（ＥＬ：Ｅｌｅｃｔｒｏ  Ｌｕｍｉｎｅｓｃｅｎｃｅ）ディスプレイ等が用いられる。図１において、ディスプレイ１４はタッチパネル１３と重なるように設けられており、ディスプレイ１４の表示領域はタッチパネル１３と重畳しているが、本実施形態はこれに限定されない。ディスプレイ１４およびタッチパネル１３は、例えば、並べて配置されてもよいし、離して配置されてもよい。ディスプレイ１４とタッチパネル１３とが重畳する場合、ディスプレイ１４の１または複数の辺は、タッチパネル１３の何れの辺とも沿っていなくてもよい。
【００１７】
続いて、図２を参照しながら、携帯電話端末１の機能的な構成について説明する。図２は、携帯電話端末１の機能的な構成を示すブロック図である。図２に示すように、携帯電話端末１は、音声入力部１１と、音声出力部１２と、タッチパネル１３と、ディスプレイ１４と、第１センサ２１と、第２センサ２２と、ストレージ２３と、通信ユニット２４と、コントローラ２５とを備える。
【００１８】
音声入力部１１は、音声の入力を受け付ける手段である。音声入力部１１は、上記のマイク１１１を含む。また、音声入力部１１は、外部のマイクを接続可能な入力インターフェースであってもよい。外部のマイクは無線または有線で接続される。入力インターフェース接続されるマイクは、例えば、携帯電話端末１に接続可能なイヤホン等に備えられるマイクである。音声入力部１１は、音声を集音し、入力を受け付けた音声に対応する信号をコントローラ２５へと入力する。
【００１９】
音声出力部１２は、音声を出力する手段である。音声出力部１２は、上記のスピーカ１２１を含む。また、音声出力部１２は、外部のスピーカを接続可能な出力インターフェースであってもよい。外部のスピーカは無線または有線で接続される。出力インターフェースに接続されるスピーカは、例えば、携帯電話端末１に接続可能なイヤホン等に備えられるスピーカである。音声出力部１２は、コントローラ２５から入力された信号に基づいて、音声を出力する。
【００２０】
タッチパネル１３は、指の接触を検出し、検出された指での操作に対応する信号をコントローラ２５へと入力する。
【００２１】
ディスプレイ１４は、コントローラ２５から入力された信号に基づいて、文字、画像、記号、図形等のオブジェクトを画面上に表示する。
【００２２】
第１センサ２１は、加速度センサを少なくとも含む。第１センサ２１は、さらにジャイロセンサや、方位センサ等を含んでいてもよい。加速度センサは、携帯電話端末１に働く加速度の方向および大きさを検出する。ジャイロセンサは、携帯電話端末１の角度および角速度を検出する。方位センサは、地磁気の向きを検出する。第１センサ２１は、検出結果をコントローラ２５に入力する。
【００２３】
第２センサ２２は、携帯電話端末１の周囲の状態を検出する。第２センサ２２は、例えば、近接センサ、照度センサ等である。近接センサは、磁界の変化または超音波の反射波の帰還時間の変化等に基づいて、近隣の物体の存在を非接触で検出する。照度センサは、受光素子に入射した光の量を検出する。第２センサ２２は、検出結果をコントローラ２５に入力する。なお、第２センサ２２は、携帯電話端末１の周囲の状態を検出できるセンサであれば、これらに限定されない。
【００２４】
ストレージ２３は、プログラムおよびデータを記憶する。ストレージ２３は、コントローラ２５の処理結果を一時的に記憶する作業領域としても利用される。ストレージ２３は、半導体記憶媒体、および磁気記憶媒体等の任意の非一過的（ｎｏｎ−ｔｒａｎｓｉｔｏｒｙ）な記憶媒体を含んでよい。また、ストレージ２３は、複数の種類の記憶媒体を含んでよい。また、ストレージ２３は、メモリカード、光ディスク、または光磁気ディスク等の可搬の記憶媒体と、記憶媒体の読み取り装置との組み合わせを含んでよい。また、ストレージ２３は、ＲＡＭ（Ｒａｎｄｏｍ  Ａｃｃｅｓｓ  Ｍｅｍｏｒｙ）等の一時的な記憶領域として利用される記憶デバイスを含んでよい。ストレージ２３に記憶されるプログラムには、フォアグランドまたはバックグランドで実行されるアプリケーションと、アプリケーションの動作を支援する制御プログラムとが含まれる。
【００２５】
通信ユニット２４は、無線により通信する。通信ユニット２４によってサポートされる無線通信規格には、例えば、２Ｇ、３Ｇ、４Ｇ等のセルラーフォンの通信規格や、近距離無線の通信規格、等がある。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等がある。ＷＰＡＮの通信規格には、例えば、ＺｉｇＢｅｅ（登録商標）がある。
【００２６】
コントローラ２５は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含むが、これらに限定されない。コントローラ２５は、携帯電話端末１の動作を統括的に制御して各種の機能を実現する。
【００２７】
コントローラ２５は、第１センサ２１の検出結果に基づいて、携帯電話端末１が移動しているかを判定する。また、コントローラ２５は第１センサ２１の検出結果に基づいて、携帯電話端末１の移動の種類を推定する。携帯電話端末１の移動の種類には、例えば、利用者の移動（歩行等）に伴う移動や、電車や自動車等の乗り物の移動に伴う移動、等が含まれる。コントローラ２５は、第１センサ２１である加速度センサの検出結果のみに基づいて、携帯電話端末１が移動しているかの判定や移動の種類の推定を行ってよい。また、コントローラ２５は、加速度センサの検出結果にジャイロセンサや方位センサの検出結果を組み合わせて携帯電話端末１が移動しているかの判定や移動の種類の推定を行ってもよい。
【００２８】
コントローラ２５は、第１センサ２１および第２センサ２２の検出結果に基づいて、利用者が携帯電話端末１を手に持って移動している状態かを判定する。例えば、コントローラ２５は、第１センサ２１の検出結果から携帯電話端末１が移動中であることを判定し、かつ、第２センサ２２の検出結果から携帯電話端末１が利用者のバッグや衣服のポケット等の外にあると判定した場合、利用者が携帯電話端末１を手に持って移動している状態であると判定する。例えば第２センサ２２が近接センサである場合、コントローラ２５は、近接センサが近隣の物体の存在を検出するかによって、携帯電話端末１が利用者のバッグや衣服のポケットの中にあるかを判定してよい。また、第２センサが照度センサである場合、コントローラ２５は、照度センサが検出する光の量によって、携帯電話端末１が利用者のバッグや衣服のポケットの中にあるかを判定してよい。
【００２９】
コントローラ２５は、音声入力部１１に入力された音声やタッチパネル１３が検出した接触操作等に応じて入力される信号に基づいて、各種制御を行う。コントローラ２５は、各種制御として、入力された信号に応じた出力をスピーカ１２１やディスプレイ１４等によって行う。また、コントローラ２５は、各種制御として、携帯電話端末１の機能の実行や設定の変更を行う。
【００３０】
コントローラ２５は、音声入力部１１に入力された音声を解析することにより、利用者の音声が示す命令を認識（音声認識）し、音声認識した命令（音声コマンド）に応じて各種制御を実行可能である。
【００３１】
コントローラ２５は、携帯電話端末１が移動していると判定すると、音声入力モードを実行する。音声入力モードは、音声入力部１１に入力された音声コマンドに応じた処理を行うモードである。音声入力モードにおいて、コントローラ２５は、契機となる音声（音声トリガー）が音声入力部１１に入力された後に、音声認識を開始する。コントローラ２５は、携帯電話端末１が移動していると判定している間は継続して音声入力モードを実行する。
【００３２】
これにより、利用者は、移動中において、画面を注視することなく携帯電話端末１の操作が可能となり、利用者の危険を低減できる。
【００３３】
なお、当該音声入力モードにおいて、コントローラ２５は、音声トリガーの入力を要求しなくてもよい。即ち、コントローラ２５は、音声入力の受け付けと入力された音声に対する音声認識とを常に行ってよい。
【００３４】
また、上述の通り、コントローラ２５は、利用者の移動の種類が特定可能である。コントローラ２５は、携帯電話端末１が移動していると判定すると、当該移動が特定の移動である場合にのみ、音声入力モードを実行するようにしてもよい。例えば、コントローラ２５は、携帯電話端末１が移動していると判定すると、当該移動が利用者の歩行に起因する移動（特定の移動）である場合には、音声入力モードを実行するようにしてもよい。例えば、コントローラ２５は、携帯電話端末１が移動していると判定すると、当該移動が電車の走行に起因する移動である場合には、音声入力モードを実行しなくてよい。
【００３５】
また、コントローラ２５は、音声入力モードにおいて、入力された音声コマンドに応じた処理として、当該音声に対する出力を音声によって行ってよい。これにより、利用者が画面を注視する可能性をさらに軽減できる。
【００３６】
続いて、図３、図４を参照しながら、上述のように構成された携帯電話端末１によって実行される処理フローについて説明する。
【００３７】
図３は、第１の実施形態に係る携帯電話端末が行う制御の第１の例を示すフローチャートである。
【００３８】
コントローラ２５は、携帯電話端末１が移動しているかを判定する（ステップＳ３０１）。コントローラ２５は、携帯電話端末１が移動していないと判定すると（ステップＳ３０１／Ｎｏ）、処理を終了する。コントローラ２５は、携帯電話端末１が移動していると判定すると（ステップＳ３０１／Ｙｅｓ）、上述した音声入力モードを実行する（ステップＳ３０２）。
【００３９】
コントローラ２５は、音声入力モードの実行を開始すると、音声入力モードが実行された旨をスピーカ１２１からの音声によって利用者に報知する（ステップＳ３０３）。
【００４０】
コントローラ２５は、音声入力モードを実行中に、携帯電話端末１が静止してから当該
静止状態が所定時間継続したかを判定する（ステップＳ３０４）。コントローラ２５は、携帯電話端末１が静止してから当該静止状態が所定の時間継続しない、即ち、携帯電話端末１が静止してから所定の時間が経過する前に再び移動がなされたと判定すると（ステップＳ３０４／Ｎｏ）、ステップＳ３０４の処理を繰り返す。コントローラ２５は、携帯電話端末１の静止状態が所定時間継続したと判定すると（ステップＳ３０４／Ｙｅｓ）、音声入力モードの実行を停止し（ステップＳ３０５）、処理を終了する。なお、所定の時間とは、数十秒でもよいし、数分でもよいが、これらに限定されない。
【００４１】
図３に例示したように、携帯電話端末１は、音声入力モードが実行された旨を利用者に報知する。これにより、利用者は音声入力モードが実行されたことを認識しやすくなる。
【００４２】
図３に例示したように、携帯電話端末１が静止してから所定の時間経過後に音声入力モードの実行は停止される。これにより、不必要に音声入力モードが解除される可能性を低減することができる。
【００４３】
なお、図３のステップＳ３０１における「携帯電話端末１が移動しているかを判定する」処理は、「携帯電話端末１が移動中であり、かつタッチパネル１３に対する所定の操作がなされたかを判定する」処理としてもよい。コントローラ２５は、携帯電話端末１が移動中であり、かつタッチパネル１３に対する所定の操作がなされたことを検出すると、音声入力モードを実行する。これにより、不必要に音声入力モードが実行される可能性を低減できる。所定の操作とは、タッチパネルに触れる操作全てとしてもよいし、各種機能を実行させるための特定のタッチパネル操作としてもよい。
【００４４】
また、図３のステップＳ３０１における「携帯電話端末１が移動しているかを判定する」処理は、「携帯電話端末１が移動中であり、かつ携帯電話端末１が利用者の手に持たれているかを判定する」処理としてもよい。コントローラ２５は、携帯電話端末１が移動中であり、かつ携帯電話端末１が利用者の手に持たれていると判定すると、音声入力モードを実行する。これにより、不必要に音声入力モードが実行される可能性を低減できる。なお、この構成において、図３のステップＳ３０４における「音声入力モードを実行中に、携帯電話端末１が静止してから当該静止状態が所定時間継続したかを判定する」処理は、「音声入力モードを実行中に、携帯電話端末１が静止してから当該静止状態が所定時間継続したか、または、携帯電話端末１は移動しているが利用者の手に持たれていない状態になった」処理としてもよい。コントローラ２５は、携帯電話端末１が静止してから当該静止状態が所定時間継続した、または、携帯電話端末１は移動しているが利用者の手に持たれていない状態になったと判定すると、音声入力モードの実行を終了する。
【００４５】
また、図３のステップＳ３０１における「携帯電話端末１が移動しているかを判定する」処理は、「携帯電話端末１が移動中であり、かつ所定のアプリケーションが起動されたかを判定する」処理としてもよい。コントローラ２５は、携帯電話端末１が移動中であり、かつ所定のアプリケーションが起動されたと判定すると、音声入力モードを実行する。これにより、不必要に音声入力モードが実行される可能性を低減できる。なお、所定のアプリケーションは、音声トリガーを契機にして、音声コマンドによって起動されてもよい。この構成において、図３のステップＳ３０４における「音声入力モードを実行中に、携帯電話端末１が静止してから当該静止状態が所定時間継続したかを判定する」処理は、「音声入力モードを実行中に、携帯電話端末１が静止してから当該静止状態が所定時間継続したか、または、所定のアプリケーションの実行が終了したかを判定する」処理としてもよい。コントローラ２５は、携帯電話端末１が静止してから当該静止状態が所定時間継続した、または、所定のアプリケーションの実行が終了したと判定すると、音声入力モードの実行を終了する。
【００４６】
また、図３のステップＳ３０１における「携帯電話端末１が移動しているかを判定する」処理は、「携帯電話端末１が移動中であり、かつ所定のアプリケーションの所定機能が実行されているかを判定する」処理としてもよい。コントローラ２５は、携帯電話端末１が移動中であり、かつ所定のアプリケーションの所定機能が実行されていると判定すると、音声入力モードを実行する。これにより、不必要に音声入力モードが実行される可能性を低減できる。なお、この構成において、図３のステップＳ３０４における「音声入力モードを実行中に、携帯電話端末１が静止してから当該静止状態が所定時間継続したかを判定する」処理は、「音声入力モードを実行中に、携帯電話端末１が静止してから当該静止状態が所定時間継続したか、または、所定のアプリケーションの所定機能の実行が終了したかを判定する」処理としてもよい。コントローラ２５は、携帯電話端末１が静止してから当該静止状態が所定時間継続した、または、所定のアプリケーションの所定機能の実行が終了したと判定すると、音声入力モードの実行を終了する。
【００４７】
図４は、第１の実施形態に係る携帯電話端末が行う制御の第２の例を示すフローチャートである。
【００４８】
コントローラ２５は、携帯電話端末１が移動しているかを判定する（ステップＳ４０１）。コントローラ２５は携帯電話端末１が移動していないと判定すると（ステップＳ４０１／Ｎｏ）、処理を終了する。コントローラ２５は、携帯電話端末１が移動していると判定すると（ステップＳ４０１／Ｙｅｓ）、音声入力モードを実行する（ステップＳ４０２）。
【００４９】
コントローラ２５は、音声入力モードの実行を開始すると、タッチパネル１３の操作による携帯電話端末１の機能の実行の少なくとも一部を制限する（ステップＳ４０３）。当該制限は、例えば、タッチパネル１３が接触の検出を行わないことによる制限であってよい。また、当該制限は、タッチパネル操作によってコントローラ２５に入力された信号に対応する出力処理をコントローラ２５が行わないことによる制限でもよい。
【００５０】
コントローラ２５は、タッチパネル１３の操作による携帯電話端末１の機能の実行の少なくとも一部を制限した後に、音声入力モードが実行された旨をスピーカ１２１からの音声によって利用者に報知する（ステップＳ４０４）。
【００５１】
コントローラ２５は、音声入力モードを実行中に、携帯電話端末１が静止したかを判定する（ステップＳ４０５）。コントローラ２５は、携帯電話端末１が静止していないと判定すると（ステップＳ４０５／Ｎｏ）、ステップＳ４０５の処理を繰り返す。コントローラ２５は、携帯電話端末１が静止したと判定すると（ステップＳ４０５／Ｙｅｓ）、タッチパネル１３に対する操作の前記制限を解除する（ステップＳ４０６）。
【００５２】
コントローラ２５は、音声入力モードを実行中に、携帯電話端末１が静止してから当該静止状態が所定の時間継続したかを判定する（ステップＳ４０７）。コントローラ２５は、携帯電話端末１が静止してから当該静止状態が所定の時間継続しない、即ち、携帯電話端末１が静止してから所定の時間が経過する前に再び移動がなされたと判定すると（ステップＳ４０７／Ｎｏ）、再び、タッチパネル１３の操作による携帯電話端末１の機能の実行の少なくとも一部を制限し（ステップＳ４０９）、処理をステップＳ４０５に戻す。コントローラ２５は、携帯電話端末１の静止状態が所定時間継続したと判定すると（ステップＳ４０７／Ｙｅｓ）、音声入力モードの実行を停止し（ステップＳ４０８）、処理を終了する。
【００５３】
図４に例示したように、コントローラ２５は、音声入力モードの実行とともにタッチパネル１３の操作を制限する。これにより、利用者が携帯電話端末１の画面を注視する可能性を、図３の処理フローよりもさらに軽減できる。
【００５４】
図４に例示したように、携帯電話端末１は、音声入力モードが実行していることを利用者に報知する。これにより、利用者は音声入力モードが実行していることを認識しやすくなる。
【００５５】
図４に例示したように、携帯電話端末１が静止したと判定された場合にはタッチパネル１３に対する操作の制限は解除される。これにより、利用者は静止中にタッチパネル１３を操作することができ、携帯電話端末１の静止中の操作性が向上する。
【００５６】
図４に例示したように、携帯電話端末１が静止してから所定の時間経過後に音声入力モードの実行は停止される。これにより、不必要に音声入力モードが解除される可能性を低減することができる。
【００５７】
なお、図４のステップＳ４０１における「携帯電話端末１が移動しているかを判定する」処理は、「携帯電話端末１が移動中であり、かつタッチパネル１３に対する所定の操作がなされたかを検出する」処理としてもよい。コントローラ２５は、携帯電話端末１が移動中であり、かつタッチパネル１３に対する所定の操作がなされたことを検出すると、音声入力モードを実行する。これにより、不必要に音声入力モードが解除される可能性を低減することができる。所定の操作とは、タッチパネルに触れる操作全てとしてもよいし、各種機能を実行させるための特定のタッチパネル操作としてもよい。
【００５８】
図４のステップＳ４０１における「携帯電話端末１が移動しているかを判定する」処理は「携帯電話端末１が移動中であり、かつ携帯電話端末１が利用者の手に持たれているかを判定する」処理としてもよい。コントローラ２５は、携帯電話端末１が移動中であり、かつ携帯電話端末１が利用者の手に持たれていると判定すると、音声入力モードを実行する。これにより、不必要に音声入力モードが解除される可能性を低減することができる。なお、この構成において、図４のステップＳ４０７における「音声入力モードを実行中に、携帯電話端末１が静止してから当該静止状態が所定時間継続したかを判定する」処理は、「音声入力モードを実行中に、携帯電話端末１が静止してから当該静止状態が所定時間継続したか、または、携帯電話端末１は移動しているが利用者の手に持たれていない状態になった」処理としてもよい。コントローラ２５は、携帯電話端末１が静止してから当該静止状態が所定時間継続した、または、携帯電話端末１は移動しているが利用者の手に持たれていない状態になったと判定すると、音声入力モードの実行を終了する。
【００５９】
また、図４のステップＳ４０１における「携帯電話端末１が移動しているかを判定する」処理は、「携帯電話端末１が移動中であり、かつ所定のアプリケーションが起動されたかを判定する」処理としてもよい。コントローラ２５は、携帯電話端末１が移動中であり、かつ所定のアプリケーションが起動されたと判定すると、音声入力モードを実行する。これにより、不必要に音声入力モードが解除される可能性を低減することができる。なお、所定のアプリケーションは、音声トリガーを契機にして、音声コマンドによって起動されてもよい。この構成において、図４のステップＳ４０７における「音声入力モードを実行中に、携帯電話端末１が静止してから当該静止状態が所定時間継続したかを判定する」処理は、「音声入力モードを実行中に、携帯電話端末１が静止してから当該静止状態が所定時間継続したか、または、所定のアプリケーションの実行が終了したかを判定する」処理としてもよい。コントローラ２５は、携帯電話端末１が静止してから当該静止状態が所定時間継続した、または、所定のアプリケーションの実行が終了したと判定すると、音声入力モードの実行を終了する。
【００６０】
また、図４のステップＳ４０１における「携帯電話端末１が移動しているかを判定する」処理は、「携帯電話端末１が移動中であり、かつ所定のアプリケーションの所定機能が実行されているかを判定する」処理としてもよい。コントローラ２５は、携帯電話端末１が移動中であり、かつ所定のアプリケーションの所定機能が実行されていると判定すると、音声入力モードを実行する。これにより、不必要に音声入力モードが解除される可能性を低減することができる。なお、この構成において、図４のステップＳ４０７における「音声入力モードを実行中に、携帯電話端末１が静止してから当該静止状態が所定時間継続したかを判定する」処理は、「音声入力モードを実行中に、携帯電話端末１が静止してから当該静止状態が所定時間継続したか、または、所定のアプリケーションの所定機能の実行が終了したかを判定する」処理としてもよい。コントローラ２５は、携帯電話端末１が静止してから当該静止状態が所定時間継続した、または、所定のアプリケーションの所定機能の実行が終了したと判定すると、音声入力モードの実行を終了する。
【００６１】
図４において、ステップＳ４０２とステップＳ４０３の順序は逆にしてもよい。
【００６２】
上述の通り、コントローラ２５は、利用者の移動の種類の特定が可能であり、図３、図４の処理フローは、利用者が歩行している時や乗り物に乗っている時等に実行されるものである。利用者は、移動速度や移動手段によって上記の２つの処理を選択的に実行してもよい。例えば、携帯電話端末１の移動が利用者の歩行に起因する場合、コントローラ２５は、図３の処理フローを実行し、携帯電話端末１の移動が車両の走行に起因する場合、図４の処理フローを実行してよい。ただし、特定の処理フローを実行するための条件とその実行方法はこれらに限定されない。
【００６３】
続いて、本出願に係る電子機器の第２の実施形態である携帯電話端末２について説明する。図５は、携帯電話端末２の機能的な構成を示すブロック図である。携帯電話端末２は、音声入力部１１と、音声出力部１２と、タッチパネル１３と、ディスプレイ１４と、ストレージ２３と、コントローラ２５とを備える。
【００６４】
携帯電話端末２は、外部装置３と無線または有線で接続可能である。
【００６５】
外部装置３は、車両に搭載される車載電子機器である。外部装置３は、例えば、カーナビゲーション装置である。外部装置３は、例えば、加速度センサを備え、当該加速度センサの検出結果に基づいて、車両の速度を検出する。
【００６６】
コントローラ２５は、外部装置３であるカーナビゲーション装置から取得する速度情報に基づいて、携帯電話端末２が移動しているかの判定を行う。
【００６７】
コントローラ２５は、自機が移動していると判定した場合に音声入力モードを実行する。
【００６８】
以上のように、第２の実施形態では、電子機器が外部装置３から取得した情報に基づき、自機が移動しているかを判定する例を説明した。なお、第２の実施形態における音声入力モードを実行に関する処理の態様は、第１の実施形態の場合と同様としてよい。
【００６９】
上記では、第２実施形態に係る電子機器が携帯電話端末である場合を例示したが、これに限定されず、電子機器は、カーナビゲーション装置でもよい。この場合、外部装置３は、例えば、車両に搭載される車速センサである。車速センサは、例えば、車軸の回転数に比例する車速パルス信号に基づいて速度を検出する。
【００７０】
コントローラ２５は、外部装置３である車速センサから取得する速度情報に基づいて、携帯電話端末２が移動しているかの判定を行う。
【００７１】
以上、添付の請求項に係る技術を完全かつ明瞭に開示するために特徴的な実施形態に関し記載してきた。しかし、添付の請求項は上記実施形態に限定されるべきものではなく、本明細書に示した基礎的事項の範囲内で、当該技術分野の当業者が創作しうる全ての変形例および代替可能な構成を具現化するように構成されるべきである。
【符号の説明】
【００７２】
１  携帯電話端末
２  携帯電話端末
３  外部装置
１１１  マイク
１２１  スピーカ
１１  音声入力部
１２  音声出力部
１３  タッチパネル
１４  ディスプレイ
２１  第１センサ
２２  第２センサ
２３  ストレージ
２４  通信ユニット
２５  コントローラ
【図１】
2018037819.tif 000003
【図２】
2018037819.tif 000004
【図３】
2018037819.tif 000005
【図４】
2018037819.tif 000006
【図５】
2018037819.tif 000007